(57)【特許請求の範囲】
【請求項１】
可撓性を有する支持基材と、
この支持基材の表面に形成されて前記支持基材に対する粘着性及び親油性を備える樹脂から構成された樹脂層と
を少なくとも備え、
前記樹脂層は、主鎖の長さが異なる２種類以上のアクリレートを架橋剤で共重合させたアクリル系の粘着剤から構成されたものであることを特徴とする洗浄シート。
【請求項２】
可撓性を有する支持基材、及びこの支持基材の表面に形成されて前記支持基材に対する粘着性及び親油性を備える樹脂から構成された樹脂層とを少なくとも備える洗浄シートの前記樹脂層を、洗浄の対象となる面の前記マッチングオイル上に接触させる第１工程と、
前記洗浄シートを前記面より離間させる第２工程と
を少なくとも備え、
前記樹脂層は、主鎖の長さが異なる２種類以上のアクリレートを架橋剤で共重合させたアクリル系の粘着剤から構成されたものであることを特徴とする洗浄方法。
【発明の詳細な説明】
【技術分野】
【０００１】
本発明は、例えば表面プラズモン共鳴（ＳＰＲ：surface plasmon resonance）を利用した測定装置を構成している光学部品の表面に用いられる屈折率を一致させるためのオイルを洗浄する洗浄シート及び洗浄方法に関するものである。
【背景技術】
【０００２】
疾病の状態を評価するための臨床検査や、窒素酸化物及びオゾンなどの状態を測定する環境計測では、従来より免疫反応や色呈反応を用いた測定が行われている。この中で、近年では、表面プラズモン共鳴現象を利用した測定技術が開発され、実用化されている（特許文献１，２参照）。これは、測定対象の検体が接触した金属の表面における、エバネッセント波と表面プラズモン波との共鳴を用いるものである。
【０００３】
この測定では、図５に示すように、光源５０１から出射された光を入射側レンズ５０２で集光し、この集光した光を半円柱状のプリズム５０３の曲面部の側に入射させ、プリズム５０３の平坦面側の測定面５０４に密着させているセンサチップ５０５の測定領域に照射する。センサチップ５０５の測定領域にはＡｕの薄膜が形成されており、このＡｕの薄膜の表面に検体を接触させた状態で置き、Ａｕの薄膜の裏面に、センサチップ５０５を透過してきた集光光が照射される。このようにして照射された集光光は、Ａｕの薄膜の裏面で反射し、いわゆるＣＣＤイメージセンサなどの撮像素子よりなる光検出部５０６で強度（光強度）が測定され、図６に示すように、上記共鳴が起こる角度で反射率が低くなる谷が観測される。
【０００４】
ところで、光源５０１からの光は、プリズム５０３の測定面５０４から出射し、センサチップ５０５の入出射面より入射し、Ａｕの薄膜の裏面で反射し、センサチップ５０５の入出射面より出射し、プリズム５０３の測定面５０４に入射する。従って、この光の光路において、プリズム５０３とセンサチップ５０５との屈折率が一致し、測定面５０４とセンサチップ５０５の入出射面とが完全に密着していれば、これらの間で、測定のための光が屈折し、また反射することがなく、効率よく光を入出射させることができる。
【０００５】
しかしながら、プリズム５０３とセンサチップ５０５との屈折率を一致させることは容易であるが、これらを完全に密着させることは容易ではない。このため、よく知られているように、プリズム５０３及びセンサチップ５０５に屈折率が一致するマッチングオイル（屈折率整合剤）を、測定面５０４とセンサチップ５０５の入出射面との間に介在させている。このマッチングオイルを用いることで、プリズム５０３とセンサチップ５０５との間における不要な屈折や反射などを抑制している。
【０００６】
【特許文献１】特開２００１−１９４２９８号公報
【特許文献２】特開２００２−２１４１３１号公報
【発明の開示】
【発明が解決しようとする課題】
【０００７】
ところで、上述した表面プラズモン共鳴現象を利用した測定（ＳＰＲ測定）では、例えば、センサチップのＡｕの薄膜に修飾した抗体により、検出対象の定性などの測定を行うため、新規な測定のためには新規なセンサチップを用いることになり、新規に測定を行う毎に、センサチップを交換している。
【０００８】
ここで、センサチップの載置面に塗布されているマッチングオイルは、脂肪酸を主成分として屈折率調整のための添加剤が添加されたものであり、周囲の埃の付着や経時変化などにより特性が変化（劣化）する。また、測定が終了したセンサチップを取り外した後、プリズム上のマッチングオイルの表面は、波立った状態であり、このためセンサチップを載置するときに、気泡が入りやすい状態となる。マッチングオイルに気泡などが混入した状態では、効率の良い光の入出射が妨げられることになる。
【０００９】
このため、所定数のセンサチップを交換する毎に、センサチップが載置されるプリズムの表面は、マッチングオイルを除去して清浄化し、新規にマッチングオイルを塗布し直している。このプリズム表面の清浄化では、例えば、アルコールなどの溶剤を含浸させたガーゼや脱脂綿などの吸液体を用い、プリズム表面のマッチングオイルを拭き取っている。しかしながら、このような洗浄方法では、プリズム表面に残存（残留）するマッチングオイルを、所望の状態に除去することが容易ではなく、残渣したマッチングオイルにより正確な測定が妨げられる場合がある。
【００１０】
本発明は、以上のような問題点を解消するためになされたものであり、光学的な測定器のガラスなどから構成された測定面に残存するマッチングオイルをより容易に除去できる洗浄シート及び洗浄方法を提供することを目的とする。
【課題を解決するための手段】
【００１１】
本発明に係る洗浄シートは、可撓性を有する支持基材と、この支持基材の表面に形成されて支持基材に対する粘着性及び親油性を備える樹脂から構成された樹脂層とを少なくとも備えるものである。
【００１２】
上記、洗浄シートにおいて、樹脂層は、主鎖の長さが異なる２種類以上のアクリレートを架橋剤で共重合させたアクリル系の粘着剤から構成されたものである。
【００１３】
また、本発明に係る洗浄方法は、可撓性を有する支持基材、及びこの支持基材の表面に形成されて支持基材に対する粘着性及び親油性を備える樹脂から構成された樹脂層とを少なくとも備える洗浄シートの樹脂層を、洗浄の対象となる面のマッチングオイル上に接触させる第１工程と、洗浄シートを面より離間させる第２工程とを少なくとも備え、樹脂層は、主鎖の長さが異なる２種類以上のアクリレートを架橋剤で共重合させたアクリル系の粘着剤から構成されたものである。
【発明の効果】
【００１４】
以上説明したように、本発明によれば、支持基材の表面に形成されて支持基材に対する粘着性及び親油性を備える樹脂から構成された樹脂層を用いてマッチングオイルの除去を行うようにしたので、光学的な測定器のガラスなどから構成された測定面に残存するマッチングオイルをより容易に除去できるという効果が得られる。
【発明を実施するための最良の形態】
【００１５】
以下、本発明の実施の形態について図を参照して説明する。図１は、本発明の実施の形態における洗浄シート１０１の構成例を示す斜視図（ａ）及び部分断面図（ｂ）である。洗浄シート１０１は、可撓性を有する支持基材１０２と、支持基材１０２の一方の面に形成され、マッチングオイルを吸着する樹脂層１０３とから構成されたものである。支持基材１０２は、例えば、ポリエステル，ポリエチレン，ポリプロピレン，及びポリエチレンテレフタレートなどのプラスチックフィルムや、紙などである。なお、支持基剤１０２は、これらのシート状に成形されたものに限らず、板状に成形されたものであってもよい。
【００１６】
樹脂層１０３は、支持基材１０２に付着する粘着性を備え、かつ、親油性を備える樹脂から構成されたものである。樹脂層１０３は、例えば、主鎖の長さが異なる２種類以上のアクリレートを、イソシアネート系またはエポキシ系の架橋剤で共重合させたアクリル系の粘着剤から構成されていればよい。異なる２種類以上のアクリレートを、イソシアネート系またはエポキシ系の架橋剤で共重合させたアクリル系の粘着剤から構成されていればよい。
【００１７】
例えば、ｎ−ブチルアクリレート約８０重量％，ｎ−オクタデシルアクリレート約２０重量％，及び２ヒドロキシエチルアクリレート約１重量％を混合したモノマー溶液に、架橋剤として約０．０５重量％トルエンジイソシアナートを添加し、共重合させたアクリル系の粘着剤を用いることができる。また、ｎ−ブチルアクリレートの代わりに、ｎ−ブチルメタクリレート，ｎ−ヘキシルアクリレート，ｎ−ヘキシルメタクリレート，及び２−エチルヘキシルメタアクリレートなどを用いるようにしてもよい。また、ｎ−オクタデシルアクリレートの代わりに、ラウリルアクリレート，ラウリルメタクリレート，ｎ−テトラデシルアクリレート，ｎ−テトラデシルメタクリレート，ｎ−ヘキサデシルアクリレート，ｎ−ヘキサデシルメタクリレート，及びｎ−オクタデシルメタクリレートを用いることができる。また、架橋剤には、ビス（４−イソシアナートフェニル）メタンを用いることもできる。
【００１８】
このように構成された樹脂層１０３を備える本実施の形態の洗浄シート１０１によれば、樹脂層１０３の側を対象となる測定面に接触させれば、この測定面に残存するマッチングオイルが樹脂層１０３に吸着されるので、測定面のマッチングオイルを容易に除去することができる。
【００１９】
なお、洗浄シート１０１の他方の面に、樹脂層１０３との粘着（ブロッキング）を抑制する離型剤より構成された離型層が形成されていてもよい。このように離型層を備えることで、洗浄シートを積層して保存（保管）することが可能となる。また、洗浄シートを長尺にして巻き取った状態で保存することも可能となる。
【００２０】
次に、本実施の形態における洗浄シートを用いた洗浄方法について、図２（ａ）〜図３（ｆ）を用いて説明する。まず、図２（ａ）に示すように、表面プラズモン共鳴を利用したＳＰＲ測定装置２０１のチップ載置面２０２上に、マッチングオイル２０３を介してセンサチップ２０４を載置し、所定の測定を行う。この後、図２（ｂ）に示すように、チップ載置面２０２よりセンサチップ２０４を取り外し、チップ載置面２０２上には、マッチングオイル２０３のみが存在している状態とする。なお、よく知られているように、チップ載置面２０２は、ＳＰＲ測定装置２０１を構成しているプリズムの面であり、ガラスから構成されているものである。
【００２１】
次に、チップ載置面２０２上のマッチングオイル２０３を、例えば、アルコールを含浸させたガーゼで拭き取り、図２（ｃ）に示すように、チップ載置面２０２の表面には、マッチングオイルの残渣２０５が残った状態とする。
【００２２】
次に、図３（ｄ）に示すように、チップ載置面２０２上のマッチングオイルの残渣２０５の上に洗浄シート１０１を載置した状態とする。この載置にあたっては、洗浄シート１０１の樹脂層１０３の面が、マッチングオイルの残渣２０５に接触するように洗浄シート１０１を載置する。
【００２３】
次に、図３（ｅ）に示すように、チップ載置面２０２上に載置した洗浄シート１０１を、チップ載置面２０２より離間させる。このことにより、洗浄シート１０１の樹脂層１０３に接触したマッチングオイルの残渣２０５は、樹脂層１０３に吸着してチップ載置面２０２より除去される。この結果、図３（ｆ）に示すように、チップ載置面２０２の洗浄シート１０１を載置した洗浄領域２０２ａは、マッチングオイルの残渣が除去されて清浄な面となる。
【００２４】
ここで、一回の洗浄シート１０１の載置と離間とでは、マッチングオイルの残渣２０５が完全に除去できない場合は、それぞれ新規な洗浄シート１０１を用いて複数回の載置と離間とを繰り返せばよい。また、１枚の洗浄シート１０１では、全ての領域が洗浄できない場合は、複数枚の洗浄シート１０１を用いて、より広い領域を洗浄すればよい。また、上述した実施の形態では、アルコールを含浸させたガーゼなどでマッチングオイル２０３をある程度拭き取るようにしたが、これに限るものではない。洗浄シート１０１を用いた洗浄のみで、マッチングオイル２０３を除去するようにしてもよい。
【００２５】
なお、上述した実施の形態では、洗浄の対象となる面がガラスから構成されている場合について説明したが、これに限るものではなく、洗浄の対象となる面が金属，プラスチックであっても同様であり、これらの表面に付着したオイルの除去も可能であることはいうまでもない。
【００２６】
ここで、上述した本実施の形態における洗浄シートを用いた洗浄方法による洗浄効果について説明する。まず、洗浄効果の確認方法について説明する。半円柱状のプリズムの平坦面の側の所定箇所（測定面）にマッチングオイルを塗布し、ここに金属膜を片面に備えて鏡面を構成した部分を備える光学ガラスチップ（センサチップ）を装着する。この状態で、プリズムの曲面側より入射して光学ガラスチップの鏡面部で反射し、再びプリズムの曲面部より出射した反射光の２次元的な光学パターン（光学像）を、２次元的な撮像面を備える個体撮像素子（例えばＣＣＤイメージセンサやＣＭＯＳイメージセンサなど）を用いたカメラで撮影する。このようにして撮像（撮影）した光学像が、均一なパターンとなっていれば、マッチングオイルを介したプリズムとチップとが、光学的接合の得られた状態と判断（確認）できる。
【００２７】
次に、洗浄効果の確認結果について説明する。まず、マッチングオイルを用いて光学的な接合を得たあと、プリズムの測定面よりセンサチップを取り外し、アルコールを含浸させたガーゼでプリズムの測定面を拭うと、測定面に付着している多くのマッチングオイルはガーゼに吸収されるが、一部のマッチングオイルは測定面に残存する。このオイルの残渣が乾燥すると、プリズムの測定面に、平滑でない荒れた面を形成することになる。
【００２８】
このような状態の上に、さらにマッチングオイルを塗布し、新たにセンサチップを設置して光学的接合面を得ようとしても、センサチップと測定面との間隔が不均一となり、かつ、これらの間に微小な空気を含む状態となる。このような状態を、上述したように測定（撮影）すると、不均一な２次元パターンが得られ、完全な光学接合が得られていないことが確認できる。
【００２９】
上述した状態に対し、センサチップを取り外した後、前述したように、本実施の形態における洗浄シートを用いた洗浄方法を用いて洗浄し、この後、マッチングオイルを塗布して新たにセンサチップを設置し、上述したように撮影すると、均一な２次元パターンが得られ、光学接合が得られたことが確認できる。
【００３０】
次に、センサチップ２０４について簡単に説明する。センサチップ２０４は、図４に示すように、透明なガラスからなる基板４０１と、カバー部４０２と、カバー部４０２に形成された供給口４０３と、カバー部４０２に形成された流路４０４と、カバー部４０２に形成された液溜まり４０５と、基板４０１の上に形成された金属膜４０６と備えている。金属膜４０６は、例えばＡｕから構成され、基板４０１のカバー部４０２の側に形成され、流路４０４の一部において、金属膜４０６の表面が露出している。この金属膜４０６の露出面には、例えば、所定の抗体が固定されて検出領域を構成している。
【００３１】
このように構成されたセンサチップ２０４は、基板４０１の側とチップ載置面２０２とが対向するように、チップ載置面２０２上にマッチングオイル２０３を介して載置する。この状態で、供給口４０３より供給された試料液体は、流路４０４を流れて液溜まり４０５に到達する過程で、検出領域の金属膜４０６の上に接触して通過する。このとき、試料液体に抗原が含まれており、この抗原が上記抗体に特異的なものであれば、抗原抗体反応により抗原が抗体に結合し、検出領域における屈折率が変化する。この屈折率の変化が、ＳＰＲ測定装置２０１により測定される。
【図面の簡単な説明】
【００３２】
【図１】本発明の実施の形態における洗浄シート１０１の構成例を示す斜視図（ａ）及び部分断面図（ｂ）である。
【図２】本発明の実施の形態における洗浄シートを用いた洗浄方法について説明する工程図である。
【図３】本発明の実施の形態における洗浄シートを用いた洗浄方法について説明する工程図である。
【図４】センサチップ２０４の構成例を示す構成図である。
【図５】従来よりあるＳＰＲ測定装置の構成例を示す構成図である。
【図６】ＳＰＲ測定装置により測定される反射率の状態を示す特性図である。
【符号の説明】
【００３３】
１０１…洗浄シート、１０２…支持基材、１０３…樹脂層、２０１…ＳＰＲ測定装置、２０２…チップ載置面、２０２ａ…洗浄領域、２０３…マッチングオイル、２０４…センサチップ、２０５…残渣。
【図１】
0004891215.tif 000002
【図２】
0004891215.tif 000003
【図３】
0004891215.tif 000004
【図４】
0004891215.tif 000005
【図５】
0004891215.tif 000006
【図６】
0004891215.tif 000007